(57)【要約】      （修正有）【課題】壁面の平坦部、出隅部、入隅部等の各取付位置に共通して用いることのできる壁用見切り材及びその壁用見切り材を用いた壁構造体を提供する。【解決手段】壁面Ｗに開口された溝部６に取付けられる壁用見切り材２及びそれを用いた壁構造Ｐであって、壁用見切り材２は、頂部３１の両端から二個の側片３２が相対向して突出された下方に開口する断面逆Ｕ字形状の見切り材本体３と、見切り材本体３の頂部３１及び側片３２の外面に被着された金属箔４とを備え、側片３２が溝部６に挿入されて、溝部６に取付けられる。【選択図】図２
2014012929.tif 000002
【特許請求の範囲】
【請求項１】
壁面に開口されると共に壁面に沿って形成された溝部に取付けられる壁用見切り材であって、前記壁用見切り材は、頂部の両端から二個の側片が相対向して突出された下方に開口する断面逆Ｕ字形状の見切り材本体と、該見切り材本体の前記頂部及び側片の外面に被着された金属箔とを備え、前記側片が前記溝部に挿入されて、該溝部に取付けられるようになされていることを特徴とする壁用見切り材。
【請求項２】
前記見切り材本体の側片の外面に被着された金属箔の下端部先端が合成樹脂による被覆部によって覆われていることを特徴とする請求項１に記載の壁用見切り材。
【請求項３】
前記見切り材本体の側片の外面に被着された金属箔の下端部が前記側片の下端面に沿って内方に屈曲され、その先端が合成樹脂による被覆部によって覆われていることを特徴とする請求項２に記載の壁用見切り材。
【請求項４】
前記側片の下端面がそれぞれ内方に向けて立ち上がる傾斜面となされると共に、側片の外面に被着された金属箔の下端面が前記傾斜面に沿って屈曲され、その先端が合成樹脂による被覆部によって覆われていることを特徴とする請求項３に記載の壁用見切り材。
【請求項５】
前記屈曲先端の被覆部は、見切り材本体の合成樹脂と一体に形成されたものであることを特徴とする請求項２〜４のいずれか１項に記載の壁用見切り材。
【請求項６】
壁面に開口されると共に壁面に沿って形成された溝部に、前記請求項１〜５のいずれか１項に記載の壁用見切り材の側片が挿入されて、該壁用見切り材が壁面に取付けられていることを特徴とする壁構造体。
【発明の詳細な説明】
【技術分野】
【０００１】
本発明は、住宅等の建築物の壁面に施工される壁面に取付けられる壁用見切り材及び壁構造体に関する。
【背景技術】
【０００２】
従来、例えば室内の壁面に施工される壁材は、その一例として、硬質プラスチック発泡材料、、樹脂化粧板、せっこうボード、ロックウールボード等を芯材とし、その芯材の表面に表面材として亜鉛めっき鋼板やアルミニウム合金板、ステンレス等の金属板が被着されたものが用いられており、そしてこれら金属板の厚みは通常は０．２５〜０．３５ｍｍ程度とされている。したがって、これら壁材は、装飾性のみならず加工性に優れ、また断熱性や防火性等に優れているため、特に店舗等の内装材として広く使用されている。
【０００３】
上記壁材を施工する際、壁材の見切り部、目地部、出隅部又は入隅部等に位置する壁面には、装飾性を高めるため、通行人や作業者が壁材に直接接触しないため、接触した際に壁材の端部からの表面装飾材等の剥がれを抑えるために、壁面用の役物が取付けられている。
【０００４】
例えば、特許文献１には、役物本体と、その表側に配置された金属薄板の外装板とを備え、上記役物本体が、上記外装板の両側縁部に対応する箇所に一対の取付部を有し、上記外装板の両側縁部が上記役物本体の取付部を包み込むように湾曲することにより、外装板が役物本体に取付けられているサイディングボードに端部に取付けられる役物が提案されている。
【先行技術文献】
【特許文献】
【０００５】
【特許文献１】特開平１１−２１７９１７号公報
【発明の概要】
【発明が解決しようとする課題】
【０００６】
しかし、前記の役物は、外装板が、サイディングボードの端部の上端を覆う形態となるため、壁面の平坦部、出隅部、入隅部等の取付位置に対応する役物を準備する必要が生じて、その分製品在庫が多くなる可能性があり、準備もわずらわしかった。
【０００７】
本発明は、前記の如き問題点を解消し、平坦部、出隅部、入隅部等の各取付位置に共通して用いることができる壁用見切り材及びその壁用見切り材を用いた壁構造体を提供するものである。
【課題を解決するための手段】
【０００８】
上記目的を達成するために、本発明は次のような構成としている。
すなわち本発明にかかる壁用見切り材は、壁面に開口されると共に壁面に沿って形成された溝部に取付けられる壁用見切り材であって、頂部の両端から二個の側片が相対向して突出された下方に開口する断面逆Ｕ字形状の見切り材本体と、該見切り材本体の前記頂部及び側片の外面に被着された金属箔とを備え、前記側片が前記溝部に挿入されて、該溝部に取付けられるようになされていることを特徴とするものである。
【０００９】
本発明に係る壁用見切り材において、見切り材本体の側片の外面に被着された金属箔の下端部先端が合成樹脂による被覆部によって覆われるように構成してもよい。
【００１０】
また本発明に係る壁用見切り材において、見切り材本体の側片の外面に被着された金属箔の下端部が前記側片の下端面に沿って内方に屈曲され、その先端が合成樹脂による被覆部によって覆われるように構成していもよい。
【００１１】
また本発明に係る壁用見切り材において、側片の下端面がそれぞれ内方に向けて立ち上がる傾斜面となされると共に、側片の外面に被着された金属箔の下端面が前記傾斜面に沿って屈曲され、その先端が合成樹脂による被覆部によって覆われるように構成してもよい。
【００１２】
また本発明に係る壁用見切り材において、屈曲先端の被覆部は、見切り材本体の合成樹脂と一体に形成した構成としてもよい。
【００１３】
また本発明にかかる壁構造体は、壁面に開口されると共に壁面に沿って形成された溝部に、前記壁用見切り材の側片が挿入されて、該壁用見切り材が壁面に取付けられていることを特徴とするものである。
【発明の効果】
【００１４】
本発明における壁用見切り材において、頂部の両端から二個の側片が相対向して突出された下方に開口する断面逆Ｕ字形状の見切り材本体と、該見切り材本体の前記頂部及び側片の外面に被着された金属箔とを備え、前記側片が前記溝部に挿入されて、該溝部に取付けられるので、壁材の見切り材の突出高さを揃える必要はなく、また溝部の幅寸法を同程度にすることで、各取付部位に共通した壁用見切り材を用いることができる。
【００１５】
本発明に係る壁構造体においては、また溝部の幅寸法を同程度にすることで、各取付部位に共通した壁用見切り材を使用することができるため、統一感による意匠性を高め、一方で壁用見切り材の在庫を減らすことができる。
【００１６】
本発明に係る壁用見切り材において、金属箔の下端部先端が合成樹脂による被覆部によって覆われるようにすれば、金属箔の下端部先端が溝部の側壁面に接触せず、金属箔と被覆部の外面が接触するので、見切り材を溝部にスムーズに挿入され、前記下端部先端が溝部の側壁面に引っ掛かるような不具合は生じにくくなり、施工性を高めることができる。
【００１７】
また本発明に係る壁用見切り材において、金属箔の下端部が見切り材本体の側片の下端面に沿って内方に屈曲し、その先端が合成樹脂による被覆部によって覆われるようにしておけば、金属箔の下端部先端及び被覆部が溝部の側面に接触することなく、溝部に挿入することができるので、施工性を高めることができる。
【００１８】
また本発明に係る壁用見切り材において、側片の下端面がそれぞれ内方に向けて立ち上がる傾斜面となされると共に、側片の外面に被着された金属箔の下端面が前記傾斜面に沿って屈曲されるようにすれば、溝部の開口側から挿入する際に、側片の傾斜面の外面に被着された金属箔が溝部の開口端部に接触しても、その傾斜面に沿ってそのまま溝部内にスムーズに誘導されて、施工性を高めることができる。
【００１９】
また本発明に係る壁用見切り材において、屈曲先端の被覆部を見切り材本体の合成樹脂と一体に形成すれば、作成が容易となり好ましい。
【図面の簡単な説明】
【００２０】
【図１】本発明に係る壁構造体の第一の実施形態を示す部分拡大正面図である。
【図２】本発明に係る壁構造体の第一の実施形態を示すの主要部の縦断面図である。
【図３】図１の部分分解説明図である。
【図４】図１の壁構造体に用いられた壁用見切り材の拡大断面図である。
【図５】本発明に係る壁構造体の第二の実施形態を示すの断面図である。
【図６】図４の部分分解説明図である。
【図７】本発明に係る壁構造体の第三の実施形態を示すの断面図である。
【図８】図６の部分分解説明図である。
【図９】本発明に係る壁構造体の第四の実施形態を示すの断面図である。
【図１０】図６の部分分解説明図である。
【図１１】本発明に係る壁構造体の第五の実施形態を示すの断面図である。
【図１２】図１１の部分分解説明図である。
【発明を実施するための形態】
【００２１】
次に、本発明を実施するための最良の形態について図面を参照し、具体的に説明する。
【００２２】
図１〜４は、本発明に係る壁構造体Ｐの第一の実施形態を示す説明図であって、図１はその部分拡大正面図、図２は主要部の縦断面図、図３は図２の部分分解説明図、図４は図１の壁構造体に用いられた壁用見切り材の拡大断面図である。
【００２３】
図面において、１は下地材Ｕに取付けられる壁材であって、前記壁材1によって壁面Ｗが形成され、２は前記壁材１間に取付けられる壁用見切り材、３は壁用見切り材２の見切り材本体、４は見切り材本体３の外面に被着された金属箔である。
【００２４】
壁材１は、一般には、正面視矩形状に形成されており、合成樹脂板材、石膏ボード、ロックウールボード等を芯材とし、その芯材の表面に表面材として亜鉛めっき鋼板、アルミニウム合金板、ステンレス板等の金属板が被着されたものである。なお表面材は、前記の金属板の表面に塗装を施したり、フィルムやシートを貼着したりしたものでもよく、金属板を用いずに合成樹脂板材等の芯材をそのまま用いてもよい。壁材１の表面材は、該壁材１の端部において、該表面材の端部を折り曲げて芯材の側端面を覆った形態としてもよく、芯材の端部と揃えて、芯材の側端面を覆っていない形態でもよい。更に壁材１の形状は、取付位置や装飾性を高めることを目的として、三角形状、円形状等の任意の形状とすることができる。
【００２５】
下地材Ｕに壁材１を取付ける際は、本形態では、下地材Ｕに図示しない固定ビスによって固定された取付部材５を介して取付けられているが、他の形態としては、図示しないが、例えば、接着剤や両面テープ等を介して下地材Ｕに直接取付けてもよく、壁材１に取付けたクッション材、吸音材、プラスチックボード等の別部材を介して下地材Ｕに取付けてもよい。
【００２６】
壁材１は、下地材Ｕに複数取付けられており、隣り合う壁材１の間には、該壁材１の端面を側壁面６１とする、いわゆる目地としての溝部６が形成されている。そして、前記溝部６に壁用見切り材２が配置されて取付けられている。
【００２７】
壁用見切り材２は、溝部６の長手方向に沿って取付けられており、溝部６の長手方向に向けて延びる見切り材本体３と、前記見切り材本体３の外面に被着された金属箔４とを備えている。
【００２８】
見切り材本体３は、壁材１の溝部６の開口を塞ぐ断面半円形状の頂部３１が形成されると共に、前記頂部３１の両側から二個の側片３２が相対向して突出された下方に開口する逆Ｕ字形状に形成されている。この頂部３１及び二個の側片３２によって、下方に開口された係止溝３３が設けられている。壁用見切り材２を壁面Ｗに取付けるために、本形態では、壁面Ｗに形成された溝部６の奥であって、溝部６内に配置された取付部材５の係合突条５２が前記見切り材本体３の係止溝３３に係止されて取付けられている。すなわち、見切り材本体３は、前記溝部６の奥に向けて開口する前記係止溝３３が長手方向に沿って設けられ、一方、取付部材５は、壁材１と下地材Ｕとの間に固定される基板部５１と、該基板部５１上に突設されて溝部６内に配置される係合突条５２が長手方向に沿って設けられているものである。そして、前記係止溝３３に係合突条５２が係止されることによって、見切り材２が取付部材５に取付けられる。
【００２９】
係合突条５２は、その両側面からそれぞれの側方に突出する舌片５３が該係合突条５２の長手方向に沿って形成されており、更に上下に複数形成されている。一方、見切り材本体３の係止溝３３の両側壁部には、前記舌片５３の形状に対応する切欠部３４が該側壁部の長手方向に沿って複数形成されている。これにより、取付部材５の係合突条５２と見切り材本体３の係止溝３３とが強固に係合するため、壁用見切り材２を壁面Ｗに強固に取付けることができる。
【００３０】
見切り材本体３の係止溝３３に対する係合突条５２の係止方法は、例えば、見切り材本体３を溝部６に挿入し、相対的に係止溝３３の開口側から係合突条５２の先端を挿入する形態でもよく、係止溝３３の側端部から反対側の側端部に向けて係合突条５２の側端部を挿入して摺動させる形態でもよい。
【００３１】
見切り材本体３は、一般には合成樹脂を押出成型によって形成された長尺体を適宜長さに切断して用いられている。合成樹脂にはＡＢＳ樹脂が用いられているが、特に限定されるものではなく、ポリエチレン、ポリプロピレン、ポリエチレンテレフタレート、ポリスチレン、ポリ塩化ビニル、ＡＳ樹脂、ＡＡＳ樹脂等の熱可塑性合成樹脂が単独又は二種類以上を適宜選択して用いることができる。更に、合成樹脂に炭酸カルシウム、タルク等の無機材料を加えてもよい。
【００３２】
壁用見切り材２の外面に被着された金属箔４は、前記見切り材本体３の頂部３１及び２個の側片３２の外面に被着されている。更に金属箔４の下端部先端４１が見切り材本体３の係止溝３３の開口縁に至らないようになされている。なお、本形態では、見切り材本体３が金属箔４によって覆われているので、係合突条５２を係止溝３３に係止させる際、係合突条５２が該係止溝３３を押し開くように押圧しても、金属箔４によってその押圧による変形を防ぎ、前記係止状態を緩みにくくすることができる。そして、二個の側片３２が溝部６の両側壁面６１に相対向して配置されるので、側片３２の位置が溝部６に対して設計位置よりも僅かに突出したり、引っ込んだりする位置であっても外観上大きな差はなく意匠性に優れたものとなる。更に、壁用見切り材２を挟んで隣り合う壁材１の表面がわずかに面一でなくても、壁用見切り材２により視覚的に遮られて、前記面一でないことが目立たない。
【００３３】
前記見切り材本体３の側片３２の外面に被着された金属箔４の下端部先端４１が合成樹脂によって被覆されて被覆部４２が設けられている。これにより、金属箔４の下端部先端４１が溝部６の側壁面６１に接触することなく、金属箔４と被覆部６１の外面が接触するので、壁用見切り材２を溝部６内にスムーズに挿入することができるので、前記下端部先端４１が溝部６の側壁面６１に引っ掛かるような不具合は生じにくくなり、施工性を高めることができる。したがって、下端部先端４１が見切り材本体３から剥がれることが生じにくくなる。
【００３４】
側片３２の下端面に沿って、金属箔４の下端部４３が内方に屈曲されて屈曲部４４が設けられ、屈曲部４４の先端である前記下端部先端４１が合成樹脂によって覆われている。これにより、取付部材５の係合突条５２を係止溝３３に係止させる場合、該係止溝３３の開口が不必要に開き過ぎることを抑えることができる。加えて、係合突条５２を係止溝３３の開口側から挿入する場合、または係止溝３３の長手方向の端部から係合突条５２を長手方向に擦動させて挿入する場合の何れの場合であっても、金属箔４の下端部先端４１が係合突条５２と接触することがないので、係合突条５２に不要な傷や変形が生じることがない。特に後者の場合、係合突条５２の長手方向にわたって連続的に擦り傷が生じ、その傷を起点として破断するような不具合を防ぐことができる。
【００３５】
また側片３２の下端面はそれぞれ内方に立ち上がる傾斜面となされおり、この傾斜面の外面に被着された金属箔４の外面が傾斜面４５となされている。これにより、溝部６の開口側から挿入する際に、金属箔４の傾斜面４５の外面が溝部６の開口端部に接触した場合、開口端部は傾斜面４５に沿って滑り、壁用見切り材２が溝部６内にスムーズに誘導されて挿入することができるので、特に壁用見切り材２を溝部２の一端側から順に挿入する際に、引っ掛かりが起こりにくくなって、施工性を高めることができる。
【００３６】
屈曲部４３を覆う被覆部４２は、本形態では、見切り材本体３と一体に形成されて、見切り材本体３の係止溝３３の端縁から屈曲部４３の下端部先端４１を覆って形成されている。これにより、見切り材本体３と被覆部４２とを別々に用意する必要がなく、作成が容易になる。見切り材本体３と被覆部４２とのそれぞれに用いられている合成樹脂は同じとしてもよく、異なる合成樹脂をもちいてもよいが、同じ配合の合成樹脂を用いることによって、被覆部４２の作成が更に容易となる。
【００３７】
壁用見切り材２は、逆Ｕ字形状の見切り材本体３と、その外面に被着された金属箔４とを備え、前記見切り材本体３と前記金属箔４とをそれぞれ作成して、その後嵌合させる形態でもよく、前記金属箔４に対して、合成樹脂を被覆して見切り材本体３が設けられた形態でもよい。後者の場合は、金属箔４の内外面を合成樹脂で被覆成型し、金属箔４の内面を被覆する合成樹脂によって見切り材本体３を形成し、金属箔４の外面を被覆する合成樹脂において金属箔４の両屈曲部４３に長手方向に向けて切れ目を入れて、切れ目より上方の合成樹脂を剥がして、金属箔４を露出させ、その残部を被覆部４２とするように作成すれば、被覆部４２の作成が更に容易となって好ましい。
【００３８】
壁用見切り材２を壁面Ｗに取付ける場合は、壁用見切り材２を取付部材５に取付けて、その後、一方に壁材１を配置し、該壁材１において壁用見切り材２が配置された側と対向する側において、壁用見切り材２が係合された取付部材５を壁面Ｗに取付ける、いわゆる片追い型の形態でもよく、壁材１を先に取付けて、壁材１間に設けられた溝部６に壁用見切り材２を挿入する形態でもよい。また、隣り合う壁材１の表面位置に壁用見切り材２の金属箔４の側片３２は配置されるようになされて、金属箔４の頂部３１が壁材１の表面より上方に位置するようにすれば、壁用見切り材２と壁材１との間の隙間が目立ち難くなり好ましい。
【００３９】
図５、６は、本発明に係る壁構造体Ｐの第二の実施形態を示すの断面図である。本形態に係る壁構造体Ｐは、図１〜４に示された壁構造体Ｐに比べて、壁面Ｗの出隅部に取付けられる点が異なるものであるが、壁用見切り材２は同様な形態である。
【００４０】
すなわち、図５、６に示された壁構造体Ｐにおいては、略直角に形成された壁面Ｗの出隅部対して、該隅部を覆うように取付部材５が下地材Ｕに取付けられ、前記取付部材５の角部から外方に突出して設けられた係合突条５２に壁用見切り材２が取付けられ、壁用見切り材２の両側面に壁材１が配置されて取付部材５に取付けられたものである。壁材１の側端部は、取付部材５と壁用見切り材２に対応するように約４５度に切り欠かれている。壁面Ｗの出隅部ではあるが、下地材Ｕに取付けられた壁材１の間の溝部６に壁用見切り材２が取付けられている点は、図１〜４に示された形態と同様である。
【００４１】
図７、８は、本発明に係る壁構造体Ｐの第三の実施形態を示すの断面図とその部分分解図である。本形態に係る壁構造体Ｐは、図１〜３に示された壁構造体Ｐに比べて、壁材１の表面側に設けられた溝部６に壁用見切り材２が取付けられる点が異なるものであるが、壁用見切り材２は同様な形態である。
【００４２】
すなわち、図７、８に示された壁構造体Ｐにおいては、壁面Ｗを構成する壁材１の表面に設けられた溝部６の奥部に壁用見切り材２が取付けられる取付部材５が配置されている。取付部材５は、見切り材本体３の溝部６に係止する係合突条５２を有しているが、下地材Ｕに固定されずに溝部６内に配置されている点で、図１〜４に示された壁構造体Ｐと異なる。また、取付部材５の下部には、長手方向に沿って、溝の深さ方向に広幅である金属条５４が挿入されている。これによって、設置環境での温度変化によって壁用見切り材２の残留応力が開放されて、長手方向に対して金属箔４側が凹むように反りやすいところ、前記金属条５４によって、長手方向に対しての前記反りが抑えられて、壁用見切り材２を直線状に保持することが可能となり、前記反りに伴って、壁用見切り材２が取付部材５から外れたり、更に、溝部６から抜け出したりするような不具合を抑えることができる。なお、壁用見切り材２は、溝部６内に取付部材５を固着させた後に、壁用見切り材２を取付部材５に取付けてもよく、取付部材５に取付けてから溝部６内に取付けてもよい。その他は、図１〜４に示された壁構造体Ｐと同様である。
【００４３】
図9、１０は、本発明に係る壁構造体Ｐの第四の実施形態を示すの断面図とその部分分解図である。本形態に係る壁構造体Ｐは、図１〜４に示された壁構造体Ｐに比べて、下地材Ｕの出隅部に取付けられる点が異なるものであるが、壁用見切り材２は同様な形態である。
【００４４】
すなわち、図９、１０に示された壁構造体Ｐにおいては、下地材Ｕの出隅部において、突き合わされた両下地材Ｕに壁材１がそれぞれ取付けられ壁面Ｗが形成され、前記出隅部の長手方向に沿って両壁材１の側端面間に隙間が設けられて、前記側端面を側壁面６１とする溝部６が形成されている。そして、前記溝部６に壁用見切り材２が長手方向に沿って挿入されると共に、壁用見切り材２は、溝部６の側壁面６１との間に接着剤等接合手段を介して取付けられるため、溝部６の深さによらず、壁材１の表面からに対する壁用見切り材２の上部の突出寸法を調整することができる。つまり、図１〜４に示される取付部材５は用いられていない点も異なる。その他は、図１〜４に示された壁構造体Ｐと同様である。
【００４５】
図１１、１２は、本発明に係る壁構造体Ｐの第五の実施形態を示すの断面図とその部分分解図である。本形態に係る壁構造体Ｐは、図１〜３に示された壁構造体Ｐに比べて、壁材１の表面側に設けられた溝部６に壁用見切り材２が取付けられる点が異なるものであるが、壁用見切り材２は同様な形態である。
【００４６】
すなわち、図１１、１２に示された壁構造体Ｐにおいては、壁面Ｗを構成する壁材１の表面に設けられた溝部６の奥部に壁用見切り材２が取付けられる取付部材５が配置されている。更に、図７、８に示された壁構造体Ｐに比べて、壁面Ｗの出隅部において、下地材Ｕに対して、一方の壁材１の端面を覆って他方の壁材１が取付けられて出隅部が形成されている点が異なっている。そして、前記他方の壁材１には、出隅部の角部から外方に約１３５度の方向に開口する溝部６が設けられている。取付部材５は、図７、８に示された形態と同様である。その他は、図１〜４に示された壁構造体Ｐと同様である。
【００４７】
本発明に係る壁構造体Ｐは、壁材１が取付けられて形成される壁面Ｗに対して、壁材１間のいわゆる目地部に相当する箇所や、壁面Ｗの出隅部等に設けた溝部６に同形態の壁用見切り材２を取付けることができるので、取付場所に応じた壁用見切り材２を用意する必要はなく、施工性に優れたものとなる。特に、壁用見切り材２を下地材Ｕに取付けた後に、この壁用見切り材２を基端として壁材１を取付ける、いわゆる片追い型施工に好適に用いることができる。
【符号の説明】
【００４８】
１    壁材
２    壁用見切り材
３    見切り材本体
３１  頂部
３２  側片
３３  係止溝
３４  切欠部
４    金属箔
４１  下端部先端
４２  被覆部
４３  下端部
４４  屈曲部
４５  傾斜面
５    取付部材
５１  基板部
５２  係合突条
５３  舌片
５４  金属条
６    溝部
Ｐ    壁構造体
Ｗ    壁面
Ｕ    下地材
【図１】
2014012929.tif 000003
【図２】
2014012929.tif 000004
【図３】
2014012929.tif 000005
【図４】
2014012929.tif 000006
【図５】
2014012929.tif 000007
【図６】
2014012929.tif 000008
【図７】
2014012929.tif 000009
【図８】
2014012929.tif 000010
【図９】
2014012929.tif 000011
【図１０】
2014012929.tif 000012
【図１１】
2014012929.tif 000013
【図１２】
2014012929.tif 000014